(57)【要約】【課題】光を眼に入れずに皮膚のみに照射できる照射装置を提供する。【解決手段】光源３と、光源３の光を上端の照射口４ａに導く導光部材４と、この導光部材４の垂直移動をガイドするガイド部材５と、照射口４ａを人体の皮膚Ｐで塞ぐようにして導光部材４を下動させた時に光源３を発光させるスイッチ７を備えて構成されている。【選択図】図４
2009095545.tif 000002
【特許請求の範囲】
【請求項１】
光源と、該光源の光を上端の照射口に導く導光部材と、該導光部材の垂直移動をガイドするガイド部材と、前記照射口を人体の皮膚で塞ぐようにして前記導光部材を下動させた時に前記光源を発光させるスイッチ手段とを備えていることを特徴とする照射装置。
【請求項２】
前記スイッチ手段は、前記導光部材の下動開始時に作動して前記光源を発光させる手段である請求項１に記載の照射装置。
【請求項３】
前記導光部材とガイド部材間および前記照射口を防水構造としたことを特徴とする請求項１または請求項２に記載の照射装置。
【請求項４】
前記照射口に防水性を確保して窓部材を設けたことを特徴とする請求項１または請求項２または請求項３に記載の照射装置。
【請求項５】
前記窓部材は、上方へ向かって膨出されていることを特徴とする請求項４に記載の照射装置。
【請求項６】
前記請求項１ないし請求項５何れかに記載の照射装置を２以上列設し、各照射装置の照射口の上方を柔軟性かつ光透過性のあるシート材で覆蓋したことを特徴とする照射装置。
【発明の詳細な説明】
【技術分野】
【０００１】
本発明は、皮膚を刺激する光を照射できる照射装置に関するものである。
【背景技術】
【０００２】
従来、特許文献１に開示されているように、青色，赤色，緑色の光を発生する発光ダイオードランプを組み込み、発光ダイオードランプからの光を集光レンズで集光させて外部へ照射できる構造に形成されて、光を生体のツボに照射することによって、患部の痛みの緩和やマッサージ効果が得られるように構成した光健康器具が存在する。
【特許文献１】特開平１１−２６７１７９号公報
【発明の開示】
【発明が解決しようとする課題】
【０００３】
上記従来の光健康器具では、使用する際に誤って覗いたりすると、発光ダイオードからの光が眼に入り、眼を痛めてしまうという問題点があり、特に青色の光は長時間眼に入ると眼に良くないものであった。
【課題を解決するための手段】
【０００４】
本発明は上記従来の問題点に鑑み案出したものであって、光を眼に入れずに皮膚のみに良好に照射できて効果的に皮膚に刺激を与えることのできる照射装置を提供するものであり、その請求項１は、光源と、該光源の光を上端の照射口に導く導光部材と、該導光部材の垂直移動をガイドするガイド部材と、前記照射口を人体の皮膚で塞ぐようにして前記導光部材を下動させた時に前記光源を発光させるスイッチ手段とを備えていることである。
【０００５】
また請求項２は、前記スイッチ手段は、前記導光部材の下動開始時に作動して前記光源を発光させる手段であることである。
【０００６】
また請求項３は、前記導光部材とガイド部材間および前記照射口を防水構造としたことである。
【０００７】
また請求項４は、前記照射口に防水性を確保して窓部材を設けたことである。
【０００８】
また請求項５は、前記窓部材は、上方へ向かって膨出されていることである。
【０００９】
また請求項６は、前記請求項１ないし請求項５何れかに記載の照射装置を２以上列設し、各照射装置の照射口の上方を柔軟性かつ光透過性のあるシート材で覆蓋したことである。
【発明の効果】
【００１０】
本発明の照射装置は、光源と、該光源の光を上端の照射口に導く導光部材と、該導光部材の垂直移動をガイドするガイド部材と、前記照射口を人体の皮膚で塞ぐようにして前記導光部材を下動させた時に、前記光源を発光させるスイッチ手段とを備えていることにより、導光部材の上端の照射口に皮膚を当てて下方へ押圧することで、光源からの光を皮膚のみに当てて皮膚を良好に光で刺激することができる。
なお、皮膚の知覚神経を刺激すると、すべての組織でインスリン様成長因子−Ｉ（ＩＧＦ−Ｉ）が作られて、これが血液にのって全身に回り人体の健康増進作用が高まることが知られており、皮膚を刺激して良好に健康増進作用を高めることができる効果を有する。
また、照射口から光が漏れないために眼に光が入ることがなく、眼を痛めることがない。
【００１１】
また、前記スイッチ手段は、前記導光部材の下動開始時に作動して前記光源を発光させる手段であることにより、導光部材の照射口に皮膚を当てて下方へ押圧すると、ほぼ同時に光源が発光されるため、照射装置を複数列設させて、その上に手等を置いて押圧させる場合等にも、手等の凹凸の差が大きい部分でも同時に均一に照射させることができるものとなる。
【００１２】
また、前記導光部材とガイド部材間および前記照射口を防水構造としたことにより、水周り空間でも使用が可能なものとなる。
【００１３】
また、前記照射口に防水性を確保して窓部材を設けたことにより、照射口から内部に水が浸入することが防がれて、水周り空間でも使用が可能となる。
【００１４】
また、前記窓部材は、上方へ向かって膨出されていることにより、照射口に皮膚を当てて下方へ押圧する際に、窓部材は上方へ膨出されているため、この窓部材によりツボ押しマッサージ効果が得られるものとなる。
【００１５】
また、前記請求項１ないし請求項５何れかに記載の照射装置を２以上列設し、各照射装置の照射口の上方を柔軟性かつ光透過性のあるシート材で覆蓋したことにより、シート材により防塵，防水性を確保することが可能となり、また、広い範囲で皮膚を刺激することができるものとなり、例えばマットやベッド，タンカ，床等に応用することができるものとなる。
【実施例】
【００１６】
以下、本発明の実施例を図面に基づいて説明する。
図１は、第１実施例の照射装置の概略縦断面構成図である。
照射装置１は、底板部２の上面中央部に、光源３が上向きに設けられており、この光源３は、青色光（４２０ｎｍ〜５２０ｎｍ）を含む光、好ましくは、青色光（４２０ｎｍ〜５２０ｎｍ）を含みかつ赤色光を含まない可視光を発生することのできる光源で構成されている。
この光源３の上方には、上下移動可能な円筒状の導光部材４が立設されており、この導光部材４は、光を反射または透過する素材の直径３ｍｍ程度のパイプ材で構成されている。
また、この透光部材４の外側には、前記床板部２の外周から立ち上げて円筒状のガイド部材５が立設されており、このガイド部材５は、その内壁面に光が外側へ漏れないように反射処理が施されたものとなっており、ガイド部材５の外径寸法は、６ｍｍ程度に設定されている。
【００１７】
このガイド部材５の内周には、下方のバネ受け部５ａと上端側のストッパー部５ｂが、それぞれ内側へ突出されており、バネ受け部５ａ上には、コイル状のバネ６が配置され、このバネ６の上端は、導光部材４の外周に突出された鍔部４ｂに当接されて配置されている。
また、導光部材４の下端下方の底板部２の上面にスイッチ７が設けられており、導光部材４が下降した時に、このスイッチ７がＯＮされて光源３が光を発生するように構成されている。
【００１８】
通常は、図１のように、バネ６で付勢されて導光部材４は上方へ付勢された状態に維持されているが、この状態で、図２に示すように、導光部材４の上端の照射口４ａを、例えば指の皮膚Ｐで覆うようにして指で導光部材４を下方側へ押圧すると、導光部材４が下動してスイッチ７がＯＮされ、光源３からの青色光（４２０ｎｍ〜５２０ｎｍ）を含む光、好ましくは、青色光（４２０ｎｍ〜５２０ｎｍ）を含みかつ赤色光を含まない可視光が照射口４ａから指の皮膚に照射され、これにより指の皮膚が刺激されるものである。
【００１９】
このように、皮膚が光を感じて刺激されると、すべての組織でインスリン様成長因子−Ｉ（ＩＧＦ−Ｉ）が作られて、血液にのって全身にこの健康増進物質が回り、例えば１０分くらい照射を続けると、良好に健康増進作用が高められるものである。
特に、光源３が高輝度青色ＬＥＤで構成されている場合、この高輝度青色ＬＥＤから発せられる波長４２０ｎｍ〜５２０ｎｍの青色光の固有エネルギーにより、皮膚に良好な刺激を与えることができ、高輝度青色ＬＥＤからの青色光は指向性が鋭く、屈折率が大きいために、導光部材４から光が漏れ難く、照射口４ａから皮膚に対して確実に光の刺激が与えられるものとなる。
また、照射口４ａは導光部材４を下方へ移動させる際に、指の皮膚Ｐで覆われるため、照射口４ａから光が漏れることがなく、特に眼に光が入ることが防がれているため、光を眼に入れずに皮膚のみに良好に照射できるものとなる。
【００２０】
次に、図３および図４で示すものは第２実施例であり、図３および図４では、照射装置１に防水性能を持たせたものであり、照射口４ａには防水性を確保して窓部材８が嵌め込まれており、この窓部材８は、照射口４ａから上方へ湾曲状に膨出した形状に透明素材で形成されたものである。
また、ガイド部材５のバネ受け部５ａおよびストッパー部５ｂの内周には溝が形成されて、この溝内にそれぞれＯリング９ａ，９ｂが嵌め込まれており、このＯリング９ａ，９ｂは導光部材４の外周に当接されており、このＯリング９ａ，９ｂにより導光部材４とガイド部材５間の防水性が確保されたものとなっている。
【００２１】
また、本例では、スイッチ７は、ストッパー部５ｂの下面側に配置されており、このスイッチ７には通常は導光部材４の外周の鍔部４ｂがバネ６の付勢力で当接されており、この図３の状態で、スイッチ７はＯＦＦ状態に維持されるように構成されている。
このような構成において、窓部材８の上面に図４のように、指の皮膚Ｐを当てて指で導光部材４を下方側へ押圧すると、押圧部材４の下動の開始と同時にスイッチ７から鍔部４ｂが離れて、スイッチ７はＯＮ状態となり、これにより光源３から光が上方へ向かって照射され、光は照射口４ａを通り、窓部材８を介して皮膚Ｐに照射されるものである。
なお、窓部材８は上方へ膨出形成されているため、指で導光部材４を下方側へ押圧する時に、指の皮膚Ｐに対しツボ押しマッサージ効果を付与することができる。
【００２２】
なお、図５は第３実施例を示すものであり、図５では、前記図３に示した照射装置１を横方向に複数列設させ、その外周を、透光性を備え且つ柔軟なシート材１０で覆蓋して、例えばマット状に形成したものである。
このように複数の照射装置をシート材１０でその外周を完全に包囲すれば、内部空間Ｓ内にはエアーを入れて全体の弾力性を良好に確保することができるものとなる。
【００２３】
なお、図６の平面図で示すものは、シート材１０の内部に多数の照射装置１を列設させて構成したマットＭの上面に、手を押し当てている状態を示しており、このような状態では、手の内側の皮膚の全域に多数の照射装置１からの光が照射されて、手全体の皮膚が刺激を受け、より良好な免疫活性を高めることができるものとなる。
なお、図６のような使用状態でも、手が当接されている部分の複数の照射装置１のみから光が照射されるものであるため、光が眼に入ることはなく、光を眼に入れずに皮膚のみに良好に照射できるものである。
なお、手の内側は上下方向の凹凸の差が大きい部分も存在するが、図３のような照射装置１の構造では、押さえると同時にスイッチ７がＯＮされるため、凹凸の差が大きい手の部分でも同時にほぼ均一に光源３からの光が照射されることとなる。
【００２４】
なお、本例では、照射装置１の導光部材４およびガイド部材５等を円筒状のもので構成したものを例示しているが、図７に示すように、導光部材４およびガイド部材５等を水平断面三角形状に構成しても良く、更には、図８に示すように、導光部材４およびガイド部材５等を水平断面四角形状に構成した照射装置１を多数列設させても良い。
なお、更に多数の照射装置１を列設させてシート材１０で覆うことにより、マット以外に、ベッドやタンカ等の面積の広いものも同様な構造で構成することができ、この場合は全身の皮膚を良好に刺激できるものとなる。
【００２５】
また、椅子の座部に図５のような構造を採用しても良く、更には、床面材に図５のような構造を採用しても良く、更に、トイレの便座や浴槽にもこのような構造を採用して、光を眼に入れずに、照射装置１に接触した皮膚の部分を良好に刺激することができるものとなる。
【００２６】
なお、図９は、皮膚の知覚神経を刺激することで放出され、健康増進作用を有するインスリン様成長因子−Ｉ（ＩＧＦ−Ｉ）の産出を促すカルシトニン遺伝子関連ペプチド（ＣＧＲＰ）（単位はｐｇ／ｍｌ）の放出濃度を測定した結果を示すものである。
マウスの脊髄後根神経節細胞を５日間培養後、１０分間各色の光を照射し、培養上清中に放出されたカルシトニン遺伝子関連ペプチド（ＣＧＲＰ）の濃度を測定した。
図中、左側のＮｏは光を照射しなかった場合であり、図中Ｂｌｕｅは青色ＬＥＤからの青色光（４２０〜５２０ｎｍ）を照射した場合であり、図中Ｒｅｄは赤色ＬＥＤからの赤色光（５７０〜６７０ｎｍ）を照射した場合であり、図中Ｇｒｅｅｎは緑色ＬＥＤからの緑色光（４７５〜５７５ｎｍ）を照射した場合である。
また、図中ｎ＝５は、サンプル数が５であることを示している。
測定結果は、光を照射しなかった場合は１３０ｐｇ／ｍｌ、青色光の場合は１７０ｐｇ／ｍｌ、赤色光の場合は８０ｐｇ／ｍｌ、緑色光の場合は１３０ｐｇ／ｍｌのＣＧＲＰの放出濃度が測定され、この結果、光を照射しなかった場合と比較して、ＣＧＲＰ放出濃度は、青色光では増加し、赤色光では減少し、緑色光では変化なしであった。
以上の結果によりＩＧＦ−Ｉを増加させるためには青色光が最も適していることが確認された。青色光によるカルシトニン遺伝子関連ペプチド（ＣＧＲＰ）放出の増加は、青色光による水の機能もしくは構造変化が重要に寄与すると思料される。
【図面の簡単な説明】
【００２７】
【図１】第１実施例の照射装置の概略縦断面構成図である。
【図２】図１の照射装置を指で押圧した使用状態の縦断面構成図である。
【図３】第２実施例の照射装置の概略縦断面構成図である。
【図４】図３の照射装置を指で押圧した使用状態の縦断面構成図である。
【図５】複数の照射装置をシート材で覆った第３実施例の縦断面構成図である。
【図６】多数の照射装置を列設させてシート材で覆ってマットＭとし、その上に手をのせている使用状態の平面構成図である。
【図７】水平断面三角形状の照射装置を多数列設させて構成したマットの上に手をのせている使用状態の平面構成図である。
【図８】水平断面四角形状の照射装置を多数列設させて構成したマットの上に手をのせている使用状態の平面構成図である。
【図９】皮膚の知覚神経を刺激することで放出され、健康増進物質であるインシュリン様成長因子（ＩＧＦ−Ｉ）の産出を促すカルシトニン遺伝子関連ペプチド（ＣＧＲＰ）の放出濃度を測定した結果を示すデータ図である。
【符号の説明】
【００２８】
１  照射装置
２  底板部
３  光源
４  導光部材
４ａ  照射口
４ｂ  鍔部
５  ガイド部材
５ａ  バネ受け部
５ｂ  ストッパー部
６  バネ
７  スイッチ
８  窓部材
９ａ，９ｂ  Ｏリング
１０  シート材
Ｓ  内部空間
Ｍ  マット
【図１】
2009095545.tif 000003
【図２】
2009095545.tif 000004
【図３】
2009095545.tif 000005
【図４】
2009095545.tif 000006
【図５】
2009095545.tif 000007
【図６】
2009095545.tif 000008
【図７】
2009095545.tif 000009
【図８】
2009095545.tif 000010
【図９】
2009095545.tif 000011